(57)【要約】【課題】中芯シートやライナーシートが、樹脂素材である場合や、不織布、メッシュ素材などの通気性のあるシートである場合においても、波状シート加工積層を一連の工程で行うことができる波状中芯シート積層板の提供【解決手段】中芯シート１１を、上段歯型ロール２１と下段歯型ロール３１との間に噛み込ませて波状の波状中芯シート１２に加工し、上段歯型ロール２１と下段歯型ロール３１とが噛み合う高さ位置でその排出方向に配置されたライナー投入バー４１に当接させるとともに、別途ライナー投入バー４１に供給された第１ライナーシート１３をその外側を覆うようにして下段歯型ロール３１方向に巻き回し、下段歯型ロール３１と第１ラミネートロール６１との間で、波状中芯シート１２と第１ライナーシート１３とを積層する。【選択図】図１
2014136334.tif 000002
【特許請求の範囲】
【請求項１】
中芯シートを上段歯型ロールと下段歯型ロールとの間に噛み込ませて波状に形成して波状中芯シートとし、
該波状中芯シートを、
上段歯型ロールと下段歯型ロールとの隙間から排出させ、
上段歯型ロールと下段歯型ロールとが噛み合う高さ位置でその排出方向に配置されたライナー投入バーに当接させるとともに、
別途ライナー投入バーに供給された第１ライナーシートをその外側を覆うようにして下段歯型ロール方向に巻き回し、
下段歯型ロールと第１ラミネートロールとの間で、
波状中芯シートと第１ライナーシートとを積層してなることを特徴とする波状中芯シート積層板。
【請求項２】
中芯シートを上段歯型ロールと下段歯型ロールとの間に噛み込ませて波状に形成して波状中芯シートとし、
該波状中芯シートを、
上段歯型ロールと下段歯型ロールとの隙間から排出させ、
上段歯型ロールと下段歯型ロールとが噛み合う高さ位置でその排出方向に配置されたライナー投入バーに当接させるとともに、
別途ライナー投入バーに供給された第１ライナーシートをその外側を覆うようにして下段歯型ロール方向に巻き回し、
下段歯型ロールと第１ラミネートロールとの間で、
波状中芯シートと第１ライナーシートとを積層した後、
さらに、第２ラミネートロールと第３ラミネートロールとの間で、
第１ライナーシートを積層した波状中芯シートの反対側に、
第２ライナーシートを積層してなることを特徴とする波状中芯シート積層板。
【請求項３】
前記中芯シート、第１ライナーシート、第２ライナーシートの１以上が通気性のある通気性シートであることを特徴とする請求項１又は２に記載の波状中芯シート積層板。
【請求項４】
中芯シートを上段歯型ロールと下段歯型ロールとの間に噛み込ませて波状に形成して波状中芯シートとし、
該波状中芯シートを、
上段歯型ロールと下段歯型ロールとの隙間から排出させ、
上段歯型ロールと下段歯型ロールとが噛み合う高さ位置でその排出方向に配置されたライナー投入バーに当接させるとともに、
別途ライナー投入バーに供給された第１ライナーシートをその外側を覆うようにして下段歯型ロール方向に巻き回し、
下段歯型ロールと第１ラミネートロールとの間で、
波状中芯シートと第１ライナーシートとを積層することを特徴とする波状中芯シート積層板の製造方法。
【請求項５】
前記第１ライナーシートとともに接着シートをライナー投入バーに供給し、
該接着シートを介して、波状中芯シートと第１ライナーシートとを積層することを特徴とする請求項４に記載の波状中芯シート積層板の製造方法。
【請求項６】
中芯シートを上段歯型ロールと下段歯型ロールとの間に噛み込ませて波状に形成して波状中芯シートとし、
該波状中芯シートを、
上段歯型ロールと下段歯型ロールとの隙間から排出させ、
上段歯型ロールと下段歯型ロールとが噛み合う高さ位置でその排出方向に配置されたライナー投入バーに当接させるとともに、
別途ライナー投入バーに供給された第１ライナーシートをその外側を覆うようにして下段歯型ロール方向に巻き回し、
下段歯型ロールと第１ラミネートロールとの間で、
波状中芯シートと第１ライナーシートとを積層した後、
さらに、第２ラミネートロールと第３ラミネートロールとの間で、
第１ライナーシートを積層した波状中芯シートの反対側に、
第２ライナーシートを積層することを特徴とする波状中芯シート積層板の製造方法。
【請求項７】
前記ライナー投入バーは、その幅方向を軸として回転可能としたことを特徴とする請求項４乃至６のいずれか１項に記載の波状中芯シート積層板の製造方法。
【請求項８】
前記ライナー投入バーは、上段歯型ロールと下段歯型ロールとが噛み合う方向に進退可能としたことを特徴とする請求項４乃至７のいずれか１項に記載の波状中芯シート積層板の製造方法。
【請求項９】
前記中芯シート、第１ライナーシート、第２ライナーシートの１以上が通気性のある通気性シートであることを特徴とする請求項４乃至８のいずれか１項に記載の波状中芯シート積層板の製造方法。
【請求項１０】
前記波状中芯シートと第１ライナーシート又は／及び第２ライナーシートとを積層して波状中芯シート積層板を形成した後、
冷却装置によって波状中芯シート積層板を冷却することを特徴とする請求項４乃至９のいずれか１項に記載の波状中芯シート積層板の製造方法。
【請求項１１】
中芯シートをそれらの隙間に噛み込ませて波状の波状中芯シートに形成して排出する上段歯型ロール及び下段歯型ロールと、
上段歯型ロールと下段歯型ロールとが噛み合う高さ位置で波状中芯シートの排出方向に配置されたライナー投入バーと、
下段歯型ロールの下側に配置され波状中芯シートと第１ライナーシートとを積層するための第１ラミネートロールと、
を備え、
前記ライナー投入バーにおいて、
上段歯型ロールと下段歯型ロールとの隙間から排出された波状中芯シートを当接させるとともに、
別途供給された第１ライナーシートを波状中芯シートの外側を覆うようにして下段歯型ロール方向に巻き回させ、
下段歯型ロールと第１ラミネートロールとの間で、
波状中芯シートと第１ライナーシートとを積層するようにしたことを特徴とする波状中芯シート積層板の製造装置。
【請求項１２】
前記第１ライナーシートとともに接着シートをライナー投入バーに供給し、
該接着シートを介して、波状中芯シートと第１ライナーシートとを積層するにしたことを特徴とする請求項１１に記載の波状中芯シート積層板の製造装置。
【請求項１３】
中芯シートをそれらの隙間に噛み込ませて波状の波状中芯シートに形成して排出する上段歯型ロール及び下段歯型ロールと、
上段歯型ロールと下段歯型ロールとが噛み合う高さ位置で波状中芯シートの排出方向に配置されたライナー投入バーと、
下段歯型ロールの下側に配置され波状中芯シートと第１ライナーシートとを積層するための第１ラミネートロールと、
第１ライナーシートが積層された面の反対側に第２ライナーシートを積層するための第２ラミネートロール及び第３ラミネートロールと、
を備え、
前記ライナー投入バーにおいて、
上段歯型ロールと下段歯型ロールとの隙間から排出された波状中芯シートを当接させるとともに、
別途供給された第１ライナーシートを波状中芯シートの外側を覆うようにして下段歯型ロール方向に巻き回させ、
下段歯型ロールと第１ラミネートロールとの間で波状中芯シートと第１ライナーシートとを積層した後、
さらに、第２ラミネートロールと第３ラミネートロールとの間で、
第１ライナーシートが積層された面の反対側に第２ライナーシートを積層するようにしたことを特徴とする波状中芯シート積層板の製造装置。
【請求項１４】
前記ライナー投入バーは、その幅方向を軸として回転可能としたことを特徴とする請求項１１乃至１３のいずれか１項に記載の波状中芯シート積層板の製造装置。
【請求項１５】
前記ライナー投入バーは、上段歯型ロールと下段歯型ロールとが噛み合う方向に進退可能としたことを特徴とする請求項１１乃至１４のいずれか１項に記載の波状中芯シート積層板の製造装置。
【請求項１６】
前記波状中芯シートと第１ライナーシート又は／及び第２ライナーシートとを積層して波状中芯シート積層板を形成した後、
波状中芯シート積層板を冷却する冷却装置を設けたことを特徴とする請求項１１乃至１５のいずれか１項に記載の波状中芯シート積層板の製造装置。
【発明の詳細な説明】
【技術分野】
【０００１】
本発明は、波状中芯シート積層板、その製造方法及びその製造装置に関し、
特に、中芯シートやライナーシートに、不織布、メッシュ素材などの通気性のある通気性シートを用いた波状中芯シート積層板、その製造方法及びその製造装置に関する。
【背景技術】
【０００２】
従来、段ボール業界では、紙のコルゲート製造方法が広く行われている。
例えば、円周面に波状の歯型を形成した上段歯型ロールと下段歯型ロールを噛み合わせるように配置し、これらの歯型ロールの噛み合い部に芯紙を送り込んで通過させることにより、芯紙を波状に加工する。そして、波状芯紙の段頂部に糊を塗布して、別途案内されてきたライナーシートと貼着され片面段ボールをコルゲート製造方法により製造する方法がある。
しかしながら、この方法では、噛み合わせるように配置された上段歯型ロールと下段歯型ロールとの噛み合い部から排出された波状芯紙は、遠心力で直進方向に進行したり、上段歯型ロールに圧着されたままであったりして、波状芯紙は下段歯型ロール方向に巻き回されず、続く工程で、下段歯型ロールに巻き回してライナーシートとの積層加工を行うことが困難であった。
このような下段歯型ロールから波板紙が浮き上がるのを防止するために種々な提案がされている。
【０００３】
例えば、特許文献１に示すように、アッパーロール（上段歯型ロール）上に、メインロール（下段歯型ロール）に対し中芯材の内面となる側にメインロールへの仮り糊付け装置を設け、中芯材の内面に仮り糊付けを行うことで、波状に成形された中芯材がメインロールから浮き上がるのを防止している。
しかしながら、この方法は、中芯材に塗布した糊が、歯型ロールの表面に残って汚れとなるという問題がある。
【先行技術文献】
【特許文献】
【０００４】
【特許文献１】実開昭５５−１１８７２０号公報
【発明の概要】
【発明が解決しようとする課題】
【０００５】
そこで、本発明は、中芯材に糊を塗布することなく、上段歯型ロールと下段歯型ロールとの噛み合い部から排出された波状中芯シート（コルゲートという場合もある）を、上段歯型ロールから容易に剥がして、下段歯型ロールに巻き回してライナーシートとの積層加工を、一連の工程で行って得られる波状中芯シート積層板、その製造方法及びその製造装置を提供することを目的とする。
また、本発明の他の目的は、中芯シートやライナーシートが、樹脂素材である場合や、不織布、メッシュ素材などの通気性のあるシートである場合においても、波状シート加工積層を一連の工程で行って得られる波状中芯シート積層板、その製造方法及びその製造装置を提供することを目的とする。
【課題を解決するための手段】
【０００６】
（１）本発明の波状中芯シート積層板は、中芯シートを上段歯型ロールと下段歯型ロールとの間に噛み込ませて波状に形成して波状中芯シートとし、該波状中芯シートを、上段歯型ロールと下段歯型ロールとの隙間から排出させ、上段歯型ロールと下段歯型ロールとが噛み合う高さ位置でその排出方向に配置されたライナー投入バーに当接させるとともに、別途ライナー投入バーに供給された第１ライナーシートをその外側を覆うようにして下段歯型ロール方向に巻き回し、下段歯型ロールと第１ラミネートロールとの間で、波状中芯シートと第１ライナーシートとを積層してなることを特徴とする。
（２）本発明の波状中芯シート積層板は、中芯シートを上段歯型ロールと下段歯型ロールとの間に噛み込ませて波状に形成して波状中芯シートとし、該波状中芯シートを、上段歯型ロールと下段歯型ロールとの隙間から排出させ、上段歯型ロールと下段歯型ロールとが噛み合う高さ位置でその排出方向に配置されたライナー投入バーに当接させるとともに、別途ライナー投入バーに供給された第１ライナーシートをその外側を覆うようにして下段歯型ロール方向に巻き回し、下段歯型ロールと第１ラミネートロールとの間で、波状中芯シートと第１ライナーシートとを積層した後、さらに、第２ラミネートロールと第３ラミネートロールとの間で、第１ライナーシートを積層した波状中芯シートの反対側に、第２ライナーシートを積層してなることを特徴とする。
（３）本発明の波状中芯シート積層板は、上記（１）又は（２）において、前記中芯シート、第１ライナーシート、第２ライナーシートの１以上が通気性のある通気性シートであることを特徴とする。
（４）本発明の波状中芯シート積層板の製造方法は、中芯シートを上段歯型ロールと下段歯型ロールとの間に噛み込ませて波状に形成して波状中芯シートとし、該波状中芯シートを、上段歯型ロールと下段歯型ロールとの隙間から排出させ、上段歯型ロールと下段歯型ロールとが噛み合う高さ位置でその排出方向に配置されたライナー投入バーに当接させるとともに、別途ライナー投入バーに供給された第１ライナーシートをその外側を覆うようにして下段歯型ロール方向に巻き回し、下段歯型ロールと第１ラミネートロールとの間で、
波状中芯シートと第１ライナーシートとを積層することを特徴とする。
（５）本発明の波状中芯シート積層板の製造方法は、上記（４）において、前記第１ライナーシートとともに接着シートをライナー投入バーに供給し、該接着シートを介して、波状中芯シートと第１ライナーシートとを積層することを特徴とする。
（６）本発明の波状中芯シート積層板の製造方法は、上記（４）において、中芯シートを上段歯型ロールと下段歯型ロールとの間に噛み込ませて波状に形成して波状中芯シートとし、該波状中芯シートを、上段歯型ロールと下段歯型ロールとの隙間から排出させ、上段歯型ロールと下段歯型ロールとが噛み合う高さ位置でその排出方向に配置されたライナー投入バーに当接させるとともに、別途ライナー投入バーに供給された第１ライナーシートをその外側を覆うようにして下段歯型ロール方向に巻き回し、下段歯型ロールと第１ラミネートロールとの間で、波状中芯シートと第１ライナーシートとを積層した後、さらに、第２ラミネートロールと第３ラミネートロールとの間で、第１ライナーシートを積層した波状中芯シートの反対側に、第２ライナーシートを積層することを特徴とする。
（７）本発明の波状中芯シート積層板の製造方法は、上記（４）乃至（６）のいずれかにおいて、前記ライナー投入バーは、その幅方向を軸として回転可能としたことを特徴とする。
（８）本発明の波状中芯シート積層板の製造方法は、上記（４）乃至（７）のいずれかにおいて、前記ライナー投入バーは、上段歯型ロールと下段歯型ロールとが噛み合う方向に進退可能としたことを特徴とする。
（９）本発明の波状中芯シート積層板の製造方法は、上記（４）乃至（８）のいずれかにおいて、前記中芯シート、第１ライナーシート、第２ライナーシートの１以上が通気性のある通気性シートであることを特徴とする。
（１０）本発明の波状中芯シート積層板の製造方法は、上記（４）乃至（９）のいずれかにおいて、前記波状中芯シートと第１ライナーシート又は／及び第２ライナーシートとを積層して波状中芯シート積層板を形成した後、冷却装置によって波状中芯シート積層板を冷却することを特徴とする。
（１１）本発明の波状中芯シート積層板の製造装置は、中芯シートをそれらの隙間に噛み込ませて波状の波状中芯シートに形成して排出する上段歯型ロール及び下段歯型ロールと、上段歯型ロールと下段歯型ロールとが噛み合う高さ位置で波状中芯シートの排出方向に配置されたライナー投入バーと、下段歯型ロールの下側に配置され波状中芯シートと第１ライナーシートとを積層するための第１ラミネートロールと、を備え、
前記ライナー投入バーにおいて、上段歯型ロールと下段歯型ロールとの隙間から排出された波状中芯シートを当接させるとともに、別途供給された第１ライナーシートを波状中芯シートの外側を覆うようにして下段歯型ロール方向に巻き回させ、下段歯型ロールと第１ラミネートロールとの間で、波状中芯シートと第１ライナーシートとを積層するようにしたことを特徴とする。
（１２）本発明の波状中芯シート積層板の製造装置は、上記（１１）において、前記第１ライナーシートとともに接着シートをライナー投入バーに供給し、該接着シートを介して、波状中芯シートと第１ライナーシートとを積層するにしたことを特徴とする。
（１３）本発明の波状中芯シート積層板の製造装置は、中芯シートをそれらの隙間に噛み込ませて波状の波状中芯シートに形成して排出する上段歯型ロール及び下段歯型ロールと、上段歯型ロールと下段歯型ロールとが噛み合う高さ位置で波状中芯シートの排出方向に配置されたライナー投入バーと、下段歯型ロールの下側に配置され波状中芯シートと第１ライナーシートとを積層するための第１ラミネートロールと、第１ライナーシートが積層された面の反対側に第２ライナーシートを積層するための第２ラミネートロール及び第３ラミネートロールと、を備え、
前記ライナー投入バーにおいて、上段歯型ロールと下段歯型ロールとの隙間から排出された波状中芯シートを当接させるとともに、別途供給された第１ライナーシートを波状中芯シートの外側を覆うようにして下段歯型ロール方向に巻き回させ、下段歯型ロールと第１ラミネートロールとの間で波状中芯シートと第１ライナーシートとを積層した後、さらに、第２ラミネートロールと第３ラミネートロールとの間で、第１ライナーシートが積層された面の反対側に第２ライナーシートを積層するようにしたことを特徴とする。
（１４）本発明の波状中芯シート積層板の製造装置は、上記（１１）〜（１３）のいずれかにおいて、前記ライナー投入バーは、その幅方向を軸として回転可能としたことを特徴とする。
（１５）本発明の波状中芯シート積層板の製造装置は、上記（１１）〜（１４）のいずれかにおいて、前記ライナー投入バーは、上段歯型ロールと下段歯型ロールとが噛み合う方向に進退可能としたことを特徴とする。
（１６）本発明の波状中芯シート積層板の製造装置は、上記（１１）〜（１５）のいずれかにおいて、前記波状中芯シートと第１ライナーシート又は／及び第２ライナーシートとを積層して波状中芯シート積層板を形成した後、波状中芯シート積層板を冷却する冷却装置を設けたことを特徴とする。
【発明の効果】
【０００７】
本発明の波状中芯シート積層板は、上段歯型ロールと下段歯型ロールとの隙間から排出させた波状中芯シートを、上段歯型ロールと下段歯型ロールとが噛み合う高さ位置でその排出方向に配置されたライナー投入バーに当接させるとともに、
別途ライナー投入バーに供給された第１ライナーシートをその外側を覆うようにして下段歯型ロール方向に巻き回し、下段歯型ロールと第１ラミネートロールとの間で、波状中芯シートと第１ライナーシートとを積層するという一連の工程で得られるので、波状中芯シートを上段歯型ロールから容易に剥がすことができるとともに、
第１ライナーシートで、波状中芯シートを下段歯型ロール方向へ拘束して、波状中芯シートの波状の形状崩れを防止することができる。
また、中芯シートやライナーシートが、樹脂素材や不織布、メッシュ素材などの通気性のあるシートである場合においても、第１ライナーシートで波状中芯シートを下段歯型ロール方向へ拘束するので、波状中芯シートの波状の形状を崩すことなしに、波状中芯シート積層板を製造することができる。
【図面の簡単な説明】
【０００８】
【図１】図１は、本発明の実施形態１にかかる波状中芯シート積層板の製造方法及び製造装置を示す概略説明図である。
【図２】図２は、図１の部分拡大図である。
【図３】図３は、上段歯型ロールと下段歯型ロールとが噛み合う高さ位置で、波状中芯シートの排出方向に配置されたライナー投入バーの取り付け状態を示す正面図である。
【図４】図４は、本発明の実施形態２にかかる波状中芯シート積層板の製造方法及び製造装置を示す概略説明図である。
【図５】図５は、本発明の実施形態３にかかる波状中芯シート積層板の製造方法及び製造装置を示す概略説明図である。
【図６】図６は、本発明の実施形態４にかかる波状中芯シート積層板の製造方法及び製造装置を示す概略説明図である。
【発明を実施するための形態】
【０００９】
＜実施形態１＞
図１は、本発明の実施形態１にかかる波状中芯シート積層板の製造方法及び製造装置を示す概略説明図である。図２は、図１の部分拡大図である。
図示するように、実施形態１では、先ず、中芯シート１１を、上段歯型ロール２１と下段歯型ロール３１との間に噛み込ませて、段差を有した波状の波状中芯シート（コルゲート）１２に加工する。
そして、上段歯型ロール２１と下段歯型ロール３１との隙間から排出された波状中芯シート１２を、上段歯型ロール２１と下段歯型ロール３１とが噛み合う高さ位置でその排出方向に配置されたライナー投入バー４１に当接させるとともに、別途ライナー投入バー４１に供給された第１ライナーシート１３をその外側を覆うようにして下段歯型ロール３１方向に巻き回し、下段歯型ロール３１と第１ラミネートロール６１との間で、波状中芯シート１２と第１ライナーシート１３とを積層する。
この場合の積層は、波状中芯シート１２の段頂部１２ａと第１ライナーシート１３とを接着するようにして、波状中芯シート１２の波状の形態を型崩れさせないようにする。
なお、段差は、上段歯型ロールと下段歯型ロールとで形成される波状形態の山と谷の差をいう。
また、波状とは、サインカーブ形状の他、段差の山谷が鋭利形状となったもの、凹凸形状のものなどをいう。
【００１０】
また、ライナー投入バー４１において、第１ライナーシート１３を波状中芯シート１２の外側を覆うように重ねて下段歯型ロール３１方向に巻き回しすることによって、波状中芯シート１２を下段歯型ロール３１方向に拘束するので、波状中芯シート１２を下段歯型ロール３１の外周に密着させることができ、波状中芯シート１２の波状の形態を維持することができる。
なお、上段、下段歯型ロールとは、外周面に歯型を設けたギアロールをいい、上段、下段歯型ロールは噛み合うようになっており、この上段、下段歯型ロールを通過した中芯シートは波形状に加工される。
【００１１】
次に、下段歯型ロール３１の外周に密着させられた状態の波状中芯シート１２は、下段歯型ロール３１の下方に配置された第１ラミネートロール６１に別途供給された第１ライナーシート１３と積層される。
なお、第１ライナーシート１３の、波状中芯シート１２の段頂部１２ａとの接着予定部には、予め接着剤が筋状に塗布されている。
そして、第１ライナーシート１３を、第１ラミネートロール６１の前工程に配置された予熱ロール６２を通過させることにより、筋状に塗布された接着剤を軟化させて波状中芯シート１２の段頂部１２ａとの接着を容易にすることができる。
すなわち、第１ライナーシート１３に、形成される波状中芯シート１２の段頂部１２ａの間隔に合致させて、接着剤を塗布しておくことにより、段頂部１２ａとの接着を容易に行うことができる。
なお、接着剤の塗布形態としては、筋状、ドット状、蜘蛛の巣状、全面など、適宜変更可能である。
【００１２】
中芯シート１１や第１ライナーシート（後述する第２ライナーシートも同様）としては、ポリエチレン、ポリエステル、ポリプロピレン、ポリアミド、アクリル、ウレタンなど、又はこれらの混合素材の樹脂シートや、同じ素材を用いた不織布などが挙げられる。また、紙や布、金属箔などのシート、金属繊維や炭素繊維などを織ったシート、樹脂フィルムにアルミを蒸着したシートなども挙げられる。また、上記シートが、メッシュ素材などの貫通孔が形成された通気性のある通気性シートも適用できる。さらに、上記素材を積層したシートも適用可能である。
【００１３】
＜ライナー投入バー＞
図３は、上段歯型ロールと下段歯型ロールとが噛み合う高さ位置で、波状中芯シートの排出方向に配置されたライナー投入バーの取り付け状態を示す正面図である。すなわち、図２の左方向から見た図であり、ライナー投入バー４１は手前側に示されている。
図３に示すように、ライナー投入バー４１は、上段歯型ロールと下段歯型ロールとが噛み合う高さ位置でそれらの幅方向と同一方向（歯型ロール軸方向）に渡設されている。
これにより、上段歯型ロールと下段歯型ロールとの隙間から排出された波状の波状中芯シートを、ライナー投入バー４１の先端下方部に当接させることにより、上段歯型ロールから容易に剥離させることができる。
【００１４】
＜角度回転＞
また、図示するように、ライナー投入バー４１は、その幅方向を軸として回転可能とすることができる。
これにより、波状中芯シート１２がライナー投入バー４１の先端下方部に当接する際のライナー投入バーの角度を調整することができ、波状中芯シートを上段歯型ロールから容易に剥離させることができる。
また、ライナー投入バー４１に供給される第１ライナーシート１３で波状中芯シートを覆って下段歯型ロール方向に巻き回す際の搬送方向を可変とすることができるので、効率よく下段歯型ロール方向に巻き回すことができる。
【００１５】
＜進退可能＞
また、前記ライナー投入バーは、上段歯型ロールと下段歯型ロールとが噛み合う方向に進退可能とすることもできる。
これにより、波状中芯シート１２がライナー投入バー４１の先端下方部に当接する際のライナー投入バーの先端位置を調整することができ、
波状中芯シートを上段歯型ロールから容易に剥離させることができる。
【００１６】
＜ライナー投入バーの形態＞
なお、ライナー投入バーの形態としては、歯型ロールの幅方向に沿って渡設する平板状や丸棒、角棒状のものが適用でき、図２に示すように断面が面取りをした三角おむすび状のものがシートにキズを付けないので好ましい。
また、ライナー投入バーの回転角度は特に規定するものではないが、波状中芯シートの当接角度を調整できるように回転できればよい。
また、ライナー投入バーの取り付け位置は、その先端部が、上段歯型ロールと下段歯型ロールとが噛み合う位置から僅か距離をおいて設置し、波状中芯シートの当接具合や上段歯型ロールへの巻き回し具合を見ながら進退させて調整する。
【００１７】
＜ライナーシート＞
また、別途第１ライナーシート１３を、ライナー投入バー３１に供給して、上段歯型ロールから剥離された波状中芯シート１２の外側を覆うようにして下段歯型ロール方向に巻き回すようにしたので、波状中芯シートの波状の形状崩れを防止しつつ、第１ライナーシート１３で波状中芯シートを下段歯型ロール方向へ拘束させることができる。
なお、ライナーシートとしては、前記中芯シートと同様の素材を用いることができる。
【００１８】
波状中芯シートが、段ボールのような紙素材の場合は通気性がないので吸引装置５１によって歯型ロールに固着させて加工することができるが、メッシュ素材のような通気性のある素材では、吸引効果が減少するので、歯型ロールに固着させることができない。
よって、上段歯型ロール２１と下段歯型ロール３１との隙間から排出された波状中芯シート１２を第１ライナーシート１３で波状中芯シートを拘束することにより、下段歯型ロール３１方向に巻き回すようにして、第１ライナーシート１３に波状中芯シート１２を仮接着させた状態とすることにより、波状中芯シート１２は浮き上がることなく、しかもその山型形状を崩すことなく、次工程の第１ラミネートロール６１方向へ搬送させることができる。
【００１９】
＜吸引装置＞
また、図示するように、波状中芯シート１２が巻き回される下段歯型ロール３１の反対側に、吸引装置５１を設けることもできる。
吸引装置５１によって、波状中芯シート１２を下段歯型ロール３１方向に吸引して、
上段歯型ロール２１と下段歯型ロール３１との隙間から排出された波状中芯シート１２を下段歯型ロール３１方向に巻き回すようにすることがさらに容易になる。
この結果、波状中芯シート１２は下段歯型ロール３１から浮き上がりや、波状の形状を崩すことなく、次工程の第１ラミネートロール６１方向へ搬送させることができる。
【００２０】
＜冷却措置＞
なお、第１ラミネートロール６１での積層後において、波状中芯シート積層板１５に、冷却措置５２で冷風を噴射することにより、接着剤を急冷させて接着効果を早期に固定化させることができる。
【００２１】
＜温度差＞
なお、上下の歯型ロールに温度差を付与することもできる。
例えば、中芯シート１１を波状に加工する際の上段歯型ロール２１の温度（例えば１２５℃）を下段歯型ロール３１の温度（例えば１５０℃）よりも低くすることで、
波状中芯シート１２の上段歯型ロール２１への固着力を小さくし、
下段歯型ロール３１への固着力を大きくすることで、波状中芯シート１２が上段歯型ロール２１から剥離し易くし、下段歯型ロール３１へ巻き回し易くすることができる。
【００２２】
＜実施形態２＞
図４は、本発明の実施形態２にかかる波状中芯シート積層板の製造方法及び製造装置を示す概略説明図である。
図示するように、実施形態２では、第１ライナーシート１３とともに接着シート１４をライナー投入バー４１に供給し、該接着シート１４を介して、波状中芯シート１２と第１ライナーシート１３とを積層して波状中芯シート積層板１５を製造する点で実施形態１と異なるが、その他の点では同一である。
すなわち、実施形態２では、第１ライナーシート１３に予め接着剤を塗布しておく代わりに、接着シート１４を第１ライナーシート１３と波状中芯シート１２との間に介在させて、波状中芯シート１２と第１ライナーシート１３とを接着させる。
【００２３】
＜実施形態３＞
図５は、本発明の実施形態３にかかる波状中芯シート積層板の製造方法及び製造装置を示す概略説明図である。
図示するように、実施形態３では、波状中芯シート積層板１５の上側にさらに第２ライナーシート１３ａを積層して、波状中芯シートの両面にライナーシートを積層した波状中芯シート積層板１５ａを製造する点で実施形態１と異なるが、その他の点では同一である。すなわち、実施形態３では、中芯シート１１を上段歯型ロール２１と下段歯型ロール３１との間に噛み込ませて波状に形成して波状中芯シート１２とし、該波状中芯シート１２を、上段歯型ロール２１と下段歯型ロール３１との隙間から排出させ、上段歯型ロール２１と下段歯型ロール３１とが噛み合う高さ位置でその排出方向に配置されたライナー投入バー４１に当接させるとともに、別途ライナー投入バー４１に供給された第１ライナーシート１３を、波状中芯シート１２の外側を覆うようにして下段歯型ロール３１方向に巻き回し、下段歯型ロール３１と第１ラミネートロール６１との間で、波状中芯シート１２と第１ライナーシート１３とを積層した後、さらに、第２ラミネートロール６１ａと第３ラミネートロール６１ｂとの間で、第１ライナーシート１３を積層した波状中芯シート１２の反対側に、第２ライナーシート１３ａを積層して、両面にライナーシートを積層した波状中芯シート積層板１５ａを製造する。
なお、両面にライナーシートを積層した後、第２ライナーシート１３ａの接着を早期固定化するため、第２ライナーシート１３ａ側に冷却装置５２を設けることもできる。
【００２４】
＜実施形態４＞
図６は、本発明の実施形態４にかかる波状中芯シート積層板の製造方法及び製造装置を示す概略説明図である。図示するように、実施形態４では、波状中芯シート１２の両面に接着シート１４、１４ａを介して第１ライナーシート１３及び第２ライナーシート１３ａを積層した波状中芯シート積層板１５ａを製造する点で実施形態３と異なるが、その他の点では実施形態２と同様である。
すなわち、第１ライナーシート１３とともに接着シート１４を下段歯型ロール３１に供給し、接着シート１４を介して、波状中芯シート１２と第１ライナーシート１３とを積層する。
さらに、第２ラミネートロール６１ａと第３ラミネートロール６１ｂとの間で、第１ライナーシート１３を積層した波状中芯シート１２の反対面に、接着シート１４ａを介して第２ライナーシート１３ａを積層して、両面にライナーシートを積層した波状中芯シート積層板１５ａを製造する。
これにより、第１ライナーシート及び第２ライナーシートに接着剤を予め塗布する作業を省略することができ、波状中芯シート積層板製造の省力化が図れる。
なお、接着シートとしては、ラミネートロールの加熱により軟化又は溶融する樹脂フィルム（ホットメルトシート）が挙げられ、その素材としては、ポリアクリル、ポリアミド、ポリエステル、ポリウレタン、ＥＶＡ（エチレン・酢酸ビニル共重合樹脂）、ポリオレフィンなどが挙げられる。
また、接着シートは、シート状の他、メッシュ状、ネット状、クモの巣状のもの（例えば呉羽テック（株）の商品名ダイナック）など、波状中芯シート積層板の用途によって、適宜決定する。
【実施例】
【００２５】
中芯シート１２として、直径１０ｍｍの貫通孔を形成したメッシュポリプロピレンシート（厚み５ｍｍ）を用いて、送り速度３ｍ／分で、ロール温度１２５℃の上段歯型ロール２１とロール温度１５０℃の下段歯型ロール３１の間を通過させ、段差２０ｍｍの波状中芯シート１２を製造した。
別途、第１ライナーシート１３として、直径０．１ｍｍの貫通孔を形成したメッシュポリプロピレンシート（厚み０．１ｍｍ）を供給して、ロール温度１２０℃の第１ラミネートロール６１によって、波状中芯シート１２上に積層して、通気性を有する波状中芯シート積層板１５を製造した。
なお、第１ライナーシート１３には、波状中芯シート１２と接着する箇所に筋状の接着剤を予め塗布しておいた。
完成した波状中芯シート積層板は、各シート間の剥離はみられなかった。
【００２６】
中芯シート１２として、ポリエチレンシート（厚み０．１ｍｍ）を用いて、送り速度１２ｍ／分で、ロール温度１２５℃の上段歯型ロール２１とロール温度１５０℃の下段歯型ロール３１の間を通過させ、段差１０ｍｍの波状中芯シート１２を製造した。
別途、第１ライナーシート１３として、不織布（厚み０．１ｍｍのポリエチレンシート）を供給して、ロール温度１００℃の第１ラミネートロール６１によって、波状中芯シート１２上に積層して、通気性を有する波状中芯シート積層板１５を製造した。
なお、第１ライナーシート１３と波状中芯シート１２との間には、０．２厚の接着シート（ポリエステル製のホットメルトシート）を介装した。
完成した波状中芯シート積層板は、各シート間の剥離はみられなかった。
【００２７】
中芯シート１２として、ポリウレタンシート（厚み０．１ｍｍ）を用いて、送り速度５ｍ／分で、ロール温度１２５℃の上段歯型ロール２１とロール温度１５０℃の下段歯型ロール３１の間を通過させ、段差２ｍｍの波状中芯シート１２を製造した。
別途、第１ライナーシート１３としてアルミ箔（厚み０．１ｍｍ）を供給して、ロール温度１００℃の第１ラミネートロール６１によって、クモの巣状の接着シート１６を介して波状中芯シート１２の片面に積層した。
さらに第２ライナーシートとして紙（厚み０．１ｍｍ）を供給して、ロール温度１００℃の第２ラミネートロール６１ａによって、クモの巣状の接着シート１６ａを介して反対面に積層した。
【産業上の利用可能性】
【００２８】
本発明の波状中芯シート積層板は、壁層、床、屋根などの建築部材や、通気目的のためのシートなどに利用できる。また、濾過面積を増加させたフィルターなどにも適用できる。さらに、精密機器の梱包材や包装材としても利用でき、産業上の利用可能性が極めて高い。
【符号の説明】
【００２９】
１１  中芯シート
１２  波状中芯シート
１２ａ  波状中芯シートの段頂部
１３  第１ライナーシート
１３ａ  第２ライナーシート
１４，１４ａ  接着シート
１５  波状中芯シート積層板
１５ａ  両面にライナーシートを積層した波状中芯シート積層板
２１  上段歯型ロール
３１  下段歯型ロール
４１  ライナー投入バー
５２  冷却装置
６１  第１ラミネートロール
６１ａ  第２ラミネートロール
６１ｂ  第３ラミネートロール
６２  予熱ロール
【図１】
2014136334.tif 000003
【図２】
2014136334.tif 000004
【図３】
2014136334.tif 000005
【図４】
2014136334.tif 000006
【図５】
2014136334.tif 000007
【図６】
2014136334.tif 000008
【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
中芯シートを上段歯型ロールと下段歯型ロールとの間に噛み込ませて波状に形成して波状中芯シートとし、
該波状中芯シートを、
上段歯型ロールと下段歯型ロールとの隙間から排出させ、
上段歯型ロールと下段歯型ロールとが噛み合う高さ位置でその排出方向に配置されたライナー投入バーに当接させるとともに、
別途ライナー投入バーに供給された第１ライナーシートをその外側を覆うようにして下段歯型ロール方向に巻き回し、
下段歯型ロールと第１ラミネートロールとの間で、
波状中芯シートと第１ライナーシートとを積層することを特徴とする波状中芯シート積層板の製造方法。
【請求項２】
前記第１ライナーシートとともに接着シートをライナー投入バーに供給し、
該接着シートを介して、波状中芯シートと第１ライナーシートとを積層することを特徴とする請求項１に記載の波状中芯シート積層板の製造方法。
【請求項３】
中芯シートを上段歯型ロールと下段歯型ロールとの間に噛み込ませて波状に形成して波状中芯シートとし、
該波状中芯シートを、
上段歯型ロールと下段歯型ロールとの隙間から排出させ、
上段歯型ロールと下段歯型ロールとが噛み合う高さ位置でその排出方向に配置されたライナー投入バーに当接させるとともに、
別途ライナー投入バーに供給された第１ライナーシートをその外側を覆うようにして下段歯型ロール方向に巻き回し、
下段歯型ロールと第１ラミネートロールとの間で、
波状中芯シートと第１ライナーシートとを積層した後、
さらに、第２ラミネートロールと第３ラミネートロールとの間で、
第１ライナーシートを積層した波状中芯シートの反対側に、
第２ライナーシートを積層することを特徴とする波状中芯シート積層板の製造方法。
【請求項４】
前記ライナー投入バーは、その幅方向を軸として回転可能としたことを特徴とする請求項１乃至３のいずれか１項に記載の波状中芯シート積層板の製造方法。
【請求項５】
前記ライナー投入バーは、上段歯型ロールと下段歯型ロールとが噛み合う方向に進退可能としたことを特徴とする請求項１乃至４のいずれか１項に記載の波状中芯シート積層板の製造方法。
【請求項６】
前記波状中芯シート積層板を構成するシートの１以上が通気性のある通気性シートであることを特徴とする請求項１乃至５のいずれか１項に記載の波状中芯シート積層板の製造方法。
【請求項７】
前記波状中芯シート積層板を形成した後、
冷却装置によって波状中芯シート積層板を冷却することを特徴とする請求項１乃至６のいずれか１項に記載の波状中芯シート積層板の製造方法。
【請求項８】
中芯シートをそれらの隙間に噛み込ませて波状の波状中芯シートに形成して排出する上段歯型ロール及び下段歯型ロールと、
上段歯型ロールと下段歯型ロールとが噛み合う高さ位置で波状中芯シートの排出方向に配置されたライナー投入バーと、
下段歯型ロールの下側に配置され波状中芯シートと第１ライナーシートとを積層するための第１ラミネートロールと、
を備え、
前記ライナー投入バーにおいて、
上段歯型ロールと下段歯型ロールとの隙間から排出された波状中芯シートを当接させるとともに、
別途供給された第１ライナーシートを波状中芯シートの外側を覆うようにして下段歯型ロール方向に巻き回させ、
下段歯型ロールと第１ラミネートロールとの間で、
波状中芯シートと第１ライナーシートとを積層するようにしたことを特徴とする波状中芯シート積層板の製造装置。
【請求項９】
前記第１ライナーシートとともに接着シートをライナー投入バーに供給し、
該接着シートを介して、波状中芯シートと第１ライナーシートとを積層するにしたことを特徴とする請求項８に記載の波状中芯シート積層板の製造装置。
【請求項１０】
中芯シートをそれらの隙間に噛み込ませて波状の波状中芯シートに形成して排出する上段歯型ロール及び下段歯型ロールと、
上段歯型ロールと下段歯型ロールとが噛み合う高さ位置で波状中芯シートの排出方向に配置されたライナー投入バーと、
下段歯型ロールの下側に配置され波状中芯シートと第１ライナーシートとを積層するための第１ラミネートロールと、
第１ライナーシートが積層された面の反対側に第２ライナーシートを積層するための第２ラミネートロール及び第３ラミネートロールと、
を備え、
前記ライナー投入バーにおいて、
上段歯型ロールと下段歯型ロールとの隙間から排出された波状中芯シートを当接させるとともに、
別途供給された第１ライナーシートを波状中芯シートの外側を覆うようにして下段歯型ロール方向に巻き回させ、
下段歯型ロールと第１ラミネートロールとの間で波状中芯シートと第１ライナーシートとを積層した後、
さらに、第２ラミネートロールと第３ラミネートロールとの間で、
第１ライナーシートが積層された面の反対側に第２ライナーシートを積層するようにしたことを特徴とする波状中芯シート積層板の製造装置。
【請求項１１】
前記ライナー投入バーは、その幅方向を軸として回転可能としたことを特徴とする請求項８乃至１０のいずれか１項に記載の波状中芯シート積層板の製造装置。
【請求項１２】
前記ライナー投入バーは、上段歯型ロールと下段歯型ロールとが噛み合う方向に進退可能としたことを特徴とする請求項８乃至１１のいずれか１項に記載の波状中芯シート積層板の製造装置。
【請求項１３】
前記波状中芯シート積層板を形成した後、
波状中芯シート積層板を冷却する冷却装置を設けたことを特徴とする請求項８乃至１２のいずれか１項に記載の波状中芯シート積層板の製造装置。
【手続補正３】
【補正対象書類名】明細書
【補正対象項目名】０００１
【補正方法】変更
【補正の内容】
【０００１】
本発明は、波状中芯シート積層板の製造方法及びその製造装置に関し、特に、中芯シートやライナーシートに、不織布、メッシュ素材などの通気性のある通気性シートを用いた波状中芯シート積層板の製造方法及びその製造装置に関する。
【手続補正４】
【補正対象書類名】明細書
【補正対象項目名】０００５
【補正方法】変更
【補正の内容】
【０００５】
そこで、本発明は、中芯材に糊を塗布することなく、上段歯型ロールと下段歯型ロールとの噛み合い部から排出された波状中芯シート（コルゲートという場合もある）を、上段歯型ロールから容易に剥がして、下段歯型ロールに巻き回してライナーシートとの積層加工を、一連の工程で行って得られる波状中芯シート積層板の製造方法及びその製造装置を提供することを目的とする。
また、本発明の他の目的は、中芯シートやライナーシートが、樹脂素材である場合や、不織布、メッシュ素材などの通気性のあるシートである場合においても、波状シート加工積層を一連の工程で行って得られる波状中芯シート積層板の製造方法及びその製造装置を提供することを目的とする。
【手続補正５】
【補正対象書類名】明細書
【補正対象項目名】０００６
【補正方法】変更
【補正の内容】
【０００６】
（１）本発明の波状中芯シート積層板の製造方法は、
中芯シートを上段歯型ロールと下段歯型ロールとの間に噛み込ませて波状に形成して波状中芯シートとし、
該波状中芯シートを、
上段歯型ロールと下段歯型ロールとの隙間から排出させ、
上段歯型ロールと下段歯型ロールとが噛み合う高さ位置でその排出方向に配置されたライナー投入バーに当接させるとともに、
別途ライナー投入バーに供給された第１ライナーシートをその外側を覆うようにして下段歯型ロール方向に巻き回し、
下段歯型ロールと第１ラミネートロールとの間で、
波状中芯シートと第１ライナーシートとを積層することを特徴とする。
（２）本発明の波状中芯シート積層板の製造方法は、上記（１）において、
前記第１ライナーシートとともに接着シートをライナー投入バーに供給し、
該接着シートを介して、波状中芯シートと第１ライナーシートとを積層することを特徴とする。
（３）本発明の波状中芯シート積層板の製造方法は、
中芯シートを上段歯型ロールと下段歯型ロールとの間に噛み込ませて波状に形成して波状中芯シートとし、
該波状中芯シートを、
上段歯型ロールと下段歯型ロールとの隙間から排出させ、
上段歯型ロールと下段歯型ロールとが噛み合う高さ位置でその排出方向に配置されたライナー投入バーに当接させるとともに、
別途ライナー投入バーに供給された第１ライナーシートをその外側を覆うようにして下段歯型ロール方向に巻き回し、
下段歯型ロールと第１ラミネートロールとの間で、
波状中芯シートと第１ライナーシートとを積層した後、
さらに、第２ラミネートロールと第３ラミネートロールとの間で、
第１ライナーシートを積層した波状中芯シートの反対側に、
第２ライナーシートを積層することを特徴とする。
（４）本発明の波状中芯シート積層板の製造方法は、上記（１）乃至（３）のいずれかにおいて、
前記ライナー投入バーは、その幅方向を軸として回転可能としたことを特徴とする。
（５）本発明の波状中芯シート積層板の製造方法は、上記（１）乃至（４）のいずれかにおいて、
前記ライナー投入バーは、上段歯型ロールと下段歯型ロールとが噛み合う方向に進退可能としたことを特徴とする。
（６）本発明の波状中芯シート積層板の製造方法は、上記（１）乃至（５）のいずれかにおいて、
前記波状中芯シート積層板を構成するシートの１以上が通気性のある通気性シートであることを特徴とする。
（７）本発明の波状中芯シート積層板の製造方法は、上記（１）乃至（６）のいずれかにおいて、
前記波状中芯シート積層板を形成した後、
冷却装置によって波状中芯シート積層板を冷却することを特徴とする。
（８）本発明の波状中芯シート積層板の製造装置は、
中芯シートをそれらの隙間に噛み込ませて波状の波状中芯シートに形成して排出する上段歯型ロール及び下段歯型ロールと、
上段歯型ロールと下段歯型ロールとが噛み合う高さ位置で波状中芯シートの排出方向に配置されたライナー投入バーと、
下段歯型ロールの下側に配置され波状中芯シートと第１ライナーシートとを積層するための第１ラミネートロールと、
を備え、
前記ライナー投入バーにおいて、
上段歯型ロールと下段歯型ロールとの隙間から排出された波状中芯シートを当接させるとともに、
別途供給された第１ライナーシートを波状中芯シートの外側を覆うようにして下段歯型ロール方向に巻き回させ、
下段歯型ロールと第１ラミネートロールとの間で、
波状中芯シートと第１ライナーシートとを積層するようにしたことを特徴とする。
（９）本発明の波状中芯シート積層板の製造装置は、上記（８）において、
前記第１ライナーシートとともに接着シートをライナー投入バーに供給し、
該接着シートを介して、波状中芯シートと第１ライナーシートとを積層するにしたことを特徴とする。
（１０）本発明の波状中芯シート積層板の製造装置は、
中芯シートをそれらの隙間に噛み込ませて波状の波状中芯シートに形成して排出する上段歯型ロール及び下段歯型ロールと、
上段歯型ロールと下段歯型ロールとが噛み合う高さ位置で波状中芯シートの排出方向に配置されたライナー投入バーと、
下段歯型ロールの下側に配置され波状中芯シートと第１ライナーシートとを積層するための第１ラミネートロールと、
第１ライナーシートが積層された面の反対側に第２ライナーシートを積層するための第２ラミネートロール及び第３ラミネートロールと、
を備え、
前記ライナー投入バーにおいて、
上段歯型ロールと下段歯型ロールとの隙間から排出された波状中芯シートを当接させるとともに、
別途供給された第１ライナーシートを波状中芯シートの外側を覆うようにして下段歯型ロール方向に巻き回させ、
下段歯型ロールと第１ラミネートロールとの間で波状中芯シートと第１ライナーシートとを積層した後、
さらに、第２ラミネートロールと第３ラミネートロールとの間で、
第１ライナーシートが積層された面の反対側に第２ライナーシートを積層するようにしたことを特徴とする波状中芯シート積層板の製造装置。
（１１）本発明の波状中芯シート積層板の製造装置は、上記（８）乃至（１０）のいずれかにおいて、
前記ライナー投入バーは、その幅方向を軸として回転可能としたことを特徴とする。
（１２）本発明の波状中芯シート積層板の製造装置は、上記（８）乃至（１１）のいずれかにおいて、
前記ライナー投入バーは、上段歯型ロールと下段歯型ロールとが噛み合う方向に進退可能としたことを特徴とする。
（１３）本発明の波状中芯シート積層板の製造装置は、上記（８）乃至（１２）のいずれかにおいて、
前記波状中芯シート積層板を形成した後、
波状中芯シート積層板を冷却する冷却装置を設けたことを特徴とする。